(57)【要約】【課題】  物質中の短い半減期をもった放射薬剤濃度の測定における作業負荷を軽減して、測定を円滑に進める。【解決手段】  放射線重量測定装置は、皿に載せた物体の重量を測定する天秤と、井戸形状のシンチレータとを一体化する。ここで、天秤の皿は、シンチレータの井戸形状の内部に挿入可能な、かつ、試料容器を支持可能な形状の容器支持部を備える片持ちアーム部を備える。また、放射薬剤濃度モニター統合装置は、この放射線重量測定装置と光電子増倍管による測定と血中放射線連続測定とを管理して、測定の負荷を軽減する。【選択図】図１
2005127840.tif 000002
【特許請求の範囲】
【請求項１】
皿に載せた物体の重量を測定する天秤と、
井戸形状のシンチレータと、
シンチレータの光を検出する光電子増倍管とからなり、
天秤の皿は、シンチレータの井戸形状の内部に挿入可能な、かつ、試料容器を支持可能な形状の容器支持部を備える片持ちアーム部を備えることを特徴とする放射線重量測定装置。
【請求項２】
さらに、シンチレータの外側に配置される放射線遮蔽部を備え、放射線遮蔽部は、電子天秤の皿の片持ちアーム部を通す貫通穴を備えることを特徴とする請求項１に記載された放射線重量測定装置。
【請求項３】
請求項１または２に記載された放射線重量測定装置と、
放射線重量測定装置の光電子増倍管からの信号を処理し特定のエネルギーを有したガンマ線を弁別する第１信号処理電子回路と、
第１信号処理電子回路の信号を処理し計数しかつ記録する第１計測制御部と、
時刻記録用のスイッチと、
上記の放射線重量測定装置、第１信号処理電子回路、第１計測制御部及びスイッチの動作を制御する制御部とからなり、
上記の制御部は、同一被験体についての検査開始時と各採血時に上記のスイッチから信号が入力されるごとに、検査開始時刻と採血時刻を記録し、採血時刻を記録した後、第１計測制御部により採血試料についての記録が終了すると、第１計測制御部から当該採血試料についての測定データを入力する
放射薬剤濃度モニター統合装置。
【請求項４】
さらに、採血試料を挿入する上記の試料容器ごとに付されたバーコードを読み取り可能なバーコードリーダーを備え、上記の制御部はバーコードリーダにより読み取られた番号を試料識別番号として記録することを特徴とする請求項３に記載された放射薬剤濃度モニター統合装置。
【請求項５】
さらに、
連続的に被験体の動脈血中の放射薬剤濃度を測定する血中放射線連続測定装置と、
血中放射線連続測定装置からの信号を処理し特定のエネルギーを有したガンマ線を弁別し、同時計数法により信号処理する第２信号処理電子回路と、
第２信号処理電子回路の信号を処理し計数しかつ１秒おきに個々の同時計数の計数値および単独の検出器からの信号の計数値を記録する第２計測制御部とを備え、
上記の制御部は、血中放射線連続測定装置、第２信号処理電子回路及び第２計測制御部の動作を制御し、当該被験体についての放射薬剤濃度の連続的測定が終了すると、第２計測制御部から測定データを入力する
請求項３または４に記載された放射薬剤濃度モニター統合装置。
【請求項６】
請求項１または２に記載された放射線重量測定装置と、
放射線重量測定装置の光電子増倍管からの信号を処理し特定のエネルギーを有したガンマ線を弁別する第１信号処理電子回路と、
第１信号処理電子回路の信号を処理し計数しかつ記録する第１計測制御部と、
時刻記録用のスイッチと、
上記の放射線重量測定装置、第１信号処理電子回路、第１計測制御部及びスイッチの動作を制御する制御部とからなる放射薬剤濃度モニター統合装置において、
被験体についての検査開始時に上記のスイッチから信号が入力されると、検査開始時刻を記録し、
同一被験体について各採血時に上記のスイッチから信号が入力されると、採血時刻を記録し、
採血時刻を記録した後、その採血時刻に採取した採血試料を挿入した試料容器を用いた放射線重量測定装置による測定が可能になると、定められた時間範囲で測定を行わせ、
放射線重量測定装置による採血試料についての測定が終了すると、第１計測制御部から当該採血試料についての測定データを入力し、
上記の採血時刻の記録から測定データの入力までの処理を各採血試料について繰り返す
計測管理方法。
【請求項７】
放射薬剤濃度モニター統合装置は、さらに、採血試料を挿入する上記の試料容器ごとに付されたバーコードを読み取り可能なバーコードリーダーを備え、
バーコードリーダーで読み取られた番号を、当該採血試料の識別番号として記憶する
請求項６に記載された計測管理方法。
【請求項８】
放射薬剤濃度モニター統合装置は、さらに、
連続的に被験体の動脈血中の放射薬剤濃度を測定する血中放射線連続測定装置と、
血中放射線連続測定装置からの信号を処理し特定のエネルギーを有したガンマ線を弁別し、同時計数法により信号処理する第２信号処理電子回路と、
第２信号処理電子回路の信号を処理し計数しかつ１秒おきに個々の同時計数の計数値および単独の検出器からの信号の計数値を記録する第２計測制御部とを備え、
上記の被験体についての検査開始時刻の前に、血中放射線連続測定装置による測定を開始させ、最後の採血試料についての計測が終了した後で、当該被験体についての放射薬剤濃度の連続的測定を終了させ、第２計測制御部から測定データを入力する
請求項６または７に記載された計測管理方法。
【発明の詳細な説明】
【技術分野】
【０００１】
本発明は、物質中の短い半減期をもった放射性薬剤濃度の定量的な測定に関するものである。
【背景技術】
【０００２】
放射線検出器は様々な分野で利用されている。物質中の放射線量を測定する放射線検出器は重要である。ポジトロン（陽電子）は、電子と反対の電荷をもった電子の反粒子であり、電子との衝突で消滅し、５１１keVのエネルギーをもったガンマ線を反対方向に二つ放出して消滅する。ポジトロンを放出する崩壊を起こす原子核をポジトロン核種と呼び、11C, 18F, 13N,15Oなどが知られている。ポジトロン核種の半減期は、11Cで約２０分、15Oでは１２２秒と短かい。半減期の短い核種、たとえば15Oを標識化合物に用いた検査や測定では、15Oが急速に減衰するため、測定には時間的な制約がある。反面、次のような利点から核医学領域で生体の診断に利用されている。
（１）これらのポジトロン核種は、生体内に存在する分子を構成する元素の同位元素であることから、生体内に存在する分子を修飾することなく標識薬剤として、機能を観察することができる。
（２）半減期が短いため、生体への被爆が少ない。そのため反復検査や賦活検査が容易である。
（３）半減期が短いため比放射能が高く、極微量の核種で診断が可能である。
【０００３】
15O2を用いたポジトロン放射断層撮影（ＰＥＴ）による診断方法としては、以下のような診断が実用化されている。
診断目的：      標識化合物
脳局所酸素代謝：  15O2ガス
脳局所血液量：    C15Oガス
脳局所血流量：    C15O2ガス
脳局所血流量：    H215O
【０００４】
ＰＥＴ検査において、生体に投与した標識薬剤の血中濃度を把握しておく必要がある。特に、標識薬剤の脳や心筋などの組織内での挙動（生理作用）を、定量的に把握する場合には、標識薬剤濃度の組織中での時間変化だけでなく、標識薬剤がどのように組織に供給されたかの情報、つまり動脈血中濃度の計測が必須となる。標識薬剤の動脈血中濃度は生体に投与する標識薬剤の量や、生体の状態によって変動する。そのため、標識薬剤の動脈血中濃度を標識薬剤の投与量に基づいて、正確に予測することはできない。生体内の標識薬剤濃度を正確に把握するためには、実際の被験者の体内における標識薬剤の濃度を測定する必要がある。
【０００５】
血中の標識薬剤濃度を測定する方法には、大きく２つの方法がある。１つ目の方法は、動脈からチューブを介して連続的に採血し、チューブ内の標識薬剤の濃度を動脈血中濃度として、連続的に測定する方法である。標識薬剤として15Oを用いたＰＥＴ検査では、１秒程度での精度で標識薬剤の動脈血中濃度を測定する必要があるため、この方法での測定が一般に行われる。２つ目の方法は、ウェル型放射線カウンター（またはガンマカウンター、以下ではウェルカウンターという）を用いて標識薬剤の血中濃度を測定するものである（たとえば特開平１１−５２０６１号公報参照）。ウェルカウンターは、たとえば15Oを標識化合物としたポジトロン放射断層撮影ＣＴ装置（ＰＥＴ装置）による検査のための付属品として、検査時に血中の放射薬剤濃度を測定する。上記２つの血中放射能濃度測定法は、実際のＰＥＴ検査においては、適宜並行して行われる。
【０００６】
【特許文献１】特開平１１−５２０６１号公報
【発明の開示】
【発明が解決しようとする課題】
【０００７】
ウェルカウンターを用いて、標識薬剤（15Oなど）の血中濃度を測定する方法では、採血した血液を専用の容器に移して、少なくとも１つの試料に対して１０秒程度の測定時間をかけて計測する。さらに試料の質量をその都度計測する。また、血液を遠心分離法で血漿分離し、全血と血漿との両方をそれぞれを測定する場合があるなど煩雑である。放射性薬剤の放射能は半減期が短いために、採血してから放射線計測するまでの間に放射線が減衰してしまう。このため、全ての採血試料についてストップウオッチなどで、正確に採血から計測までの時間を記録し、補正する必要がある。これらの採血から計測にかかる作業を１回の検査に対して１０回以上、検査によっては３０回以上行う場合がある。このため測定にかかる時間は長く、手間も煩雑であった。
【０００８】
また、従来のＰＥＴ検査に必要な血中放射能濃度（入力関数）の測定は、上述の持続的血中放射線測定装置の他に、ウェルカウンター、試料の重量測定のための電子天秤、検査開始時刻や採血から放射薬剤濃度計測までの時間を管理するための多数のストップウオッチ、あるいは時間管理を行うコンピュータに接続されたフットスイッチ、さらに検査の進行状況を術者に表示するパネル等が使用される。これらの装置はＰＥＴ検査において別々に機能しているため、検査を円滑に進めるためには多くの労力、煩雑さ、時間を要していた。
【０００９】
この発明の目的は、物質中の短い半減期をもった放射薬剤濃度の測定における作業負荷を軽減して、測定を円滑に進めることである。
【課題を解決するための手段】
【００１０】
本発明に係る放射線重量測定装置は、皿に載せた物体の重量を測定する天秤と、井戸形状のシンチレータと、シンチレータの光を検出する光電子増倍管とからなり、天秤の皿は、シンチレータの井戸形状の内部に挿入可能な、かつ、試料容器を支持可能な形状の容器支持部を備える片持ちアーム部を備えることを特徴とする。好ましくは、放射線重量測定装置は、さらに、シンチレータの外側に配置される放射線遮蔽部を備え、放射線遮蔽部は、電子天秤の皿の片持ちアーム部を通す貫通穴を備える。
【００１１】
本発明に係る放射薬剤濃度モニター統合装置は、上記の放射線重量測定装置と、放射線重量測定装置の光電子増倍管からの信号を処理し特定のエネルギーを有したガンマ線を弁別する第１信号処理電子回路と、第１信号処理電子回路の信号を処理し計数しかつ記録する第１計測制御部と、時刻記録用のスイッチと、上記の放射線重量測定装置、第１信号処理電子回路、第１計測制御部及びスイッチの動作を制御する制御部とからなる。上記の制御部は、同一被験体についての検査開始時と各採血時に上記のスイッチから信号が入力されるごとに、検査開始時刻と採血時刻を記録し、採血時刻を記録した後、第１計測制御部により採血試料についての記録が終了すると、第１計測制御部から当該採血試料についての測定データを入力する。好ましくは、さらに、採血試料を挿入する試料容器ごとに付されたバーコードを読み取り可能なバーコードリーダーを備え、制御部はバーコードリーダにより読み取られた番号を試料識別番号として記録する。
【００１２】
放射薬剤濃度モニター統合装置は、好ましくは、さらに、連続的に被験体の動脈血中の放射薬剤濃度を測定する血中放射線連続測定装置と、血中放射線連続測定装置からの信号を処理し特定のエネルギーを有したガンマ線を弁別し、同時計数法により信号処理する第２信号処理電子回路と、第２信号処理電子回路の信号を処理し計数しかつ１秒おきに個々の同時計数の計数値および単独の検出器からの信号の計数値を記録する第２計測制御部とを備える。上記の制御部は、血中放射線連続測定装置、第２信号処理電子回路及び第２計測制御部の動作を制御し、当該被験体についての放射薬剤濃度の連続的測定が終了すると、第２計測制御部から測定データを入力する。
【００１３】
本発明に係る計測管理方法は、上記の放射線重量測定装置と、放射線重量測定装置の光電子増倍管からの信号を処理し特定のエネルギーを有したガンマ線を弁別する第１信号処理電子回路と、第１信号処理電子回路の信号を処理し計数しかつ記録する第１計測制御部と、時刻記録用のスイッチと、上記の放射線重量測定装置、第１信号処理電子回路、第１計測制御部及びスイッチの動作を制御する制御部とからなる放射薬剤濃度モニター統合装置において、被験体についての検査開始時に上記のスイッチから信号が入力されると、検査開始時刻を記録し、同一被験体について各採血時に上記のスイッチから信号が入力されると、採血時刻を記録し、採血時刻を記録した後、その採血時刻に採取した採血試料を挿入した試料容器を用いた放射線重量測定装置による測定が可能になると、定められた時間範囲で測定を行わせ、放射線重量測定装置による採血試料についての測定が終了すると、第１計測制御部から当該採血試料についての測定データを入力する。上記の採血時刻の記録から測定データの入力までの処理を各採血試料について繰り返す。好ましくは、放射薬剤濃度モニター統合装置は、さらに、採血試料を挿入する上記の試料容器ごとに付されたバーコードを読み取り可能なバーコードリーダーを備え、バーコードリーダーで読み取られた番号を、当該採血試料の識別番号として記憶する。
【００１４】
放射薬剤濃度モニター統合装置は、好ましくは、さらに、連続的に被験体の動脈血中の放射薬剤濃度を測定する血中放射線連続測定装置と、血中放射線連続測定装置からの信号を処理し特定のエネルギーを有したガンマ線を弁別し、同時計数法により信号処理する第２信号処理電子回路と、第２信号処理電子回路の信号を処理し計数しかつ１秒おきに個々の同時計数の計数値および単独の検出器からの信号の計数値を記録する第２計測制御部とを備える。そして、上記の被験体についての検査開始時刻の前に、血中放射線連続測定装置による測定を開始させ、最後の採血試料についての計測が終了した後で、当該被験体についての放射薬剤濃度の連続的測定を終了させ、第２計測制御部から測定データを入力する。
【発明の効果】
【００１５】
重量測定と放射線測定が放射線重量測定装置を用いて同時に行えるため、半減期が短い標識薬剤を用いる条件下の中で、すなわち制限された短時間において、採血試料中の放射薬剤濃度とその重量が自動的に測定できるので、採血試料中の放射線量の測定が頻回可能である。これにより、作業負荷が軽減される。
また、従来は、採血毎に手動（ストップウォッチ）にて時間を記録し、手計算によってデータを補正していた。このため、試料の数が数十本以上になる検査においては混乱の極みであった。しかし、本血中放射薬剤濃度モニター統合装置を用いた自動時間管理によって、作業が大幅に軽減され、試料の数が多くなったときの混乱が解消され、検査の信頼性が向上する。
また、動脈血中の標識薬剤の濃度の連続的測定と、各採血試料についての標識薬剤の濃度の測定を管理できるので、２種の測定を連携して実行できる。
【発明を実施するための最良の形態】
【００１６】
以下、本発明の実施形態を添付の図面を参照して説明する。なお、図面において、同じ参照記号は同一または同等のものを示す。
【００１７】
本発明の実施の形態の血中放射薬剤濃度モニター統合装置は、半減期の短い15Oを含む標識薬剤を用いたＰＥＴ検査において、生体に投与した標識薬剤の血中濃度を把握するために用いられる。この装置では、血液中の標識薬剤の放射線量は、２つの方法で並行して定量的に測定できる。第１の方法では、動脈から連続的に採血した血液の中の標識薬剤の動脈血中濃度を連続的に測定する。第２の方法では、ウェルカウンターと電子天秤とを用いて採血血液ごとに標識薬剤の血中濃度を測定する。そして、連続的測定（第１の方法）により得られた持続的動脈血中濃度（入力関数）の情報、および、ウェルカウンターにより得られた採血血液中の放射能量と電子天秤により得られた試料の質量を一括管理する。また、第２の方法において、それぞれの試料において、採血から放射能計測や、その試料の質量計測にかかる煩雑な手続きを一元化するために、試料をバーコードによって管理する。また、フットスイッチを用いて、採血から計測までの時間管理を正確かつ簡便に一括して管理する。また、検査の進行状況をパネルに表示する。
【００１８】
図１は、血中放射薬剤濃度モニター統合装置において試料（採血血液）の重量と放射線を計測するための一体化部分を示す。試料の質量を計測する電子天秤１０は、試料容器を載せる皿１２を除いて、通常の電子天秤と同様の構成を備えたものである。皿１２は、図の左側に示される片持ちアーム１４を備え、さらに、アーム１４の端部の近くに、円筒状の凹部１６が設けられている。凹部１６は、円筒形状であり、測定の際に挿入される試料容器１８を収容し支持する。試料容器１８内の試料２０の放射能量は、ＮａＩのシンチレータ２２と光電子増倍管２４からなる放射線計測器で測定される。シンチレータ２２は、凹部１６の側方と下方を取り囲む井戸（ウェル）形状である。アーム１４とシンチレータ２２の側部と上部には、放射線遮蔽材（鉛）からなる放射線遮蔽部２４，２６が設置される。放射線遮蔽部２４，２６は、電子天秤１０の皿１２の片持ちアーム部１４を通す貫通穴を形成しているので、重量測定時にはアーム部１４に接触しない。これらの放射線と重量を測定する部分は共通の土台２８の上に取り付けられる。
【００１９】
この構成の１つの特徴は、放射線を測定すべき試料（採血血液）２０を収容する部分（アーム１４）を、電子天秤１０の皿の一部とすることにより、限られた空間の中で放射線計測器と、試料の重量を測定する電子天秤１０とが、一体化されていることである。したがって、採血した血液を試料容器１８に入れて凹部１６に収容すると、放射線測定が開始されるとともに、同時に試料の重量測定ができる。すなわち、半減期が約１２２秒と短い15O標識薬剤を用いる条件下で、制限された短時間において、ウェルカウンターによる試料中の放射線量の測定が頻回可能であり、試料の重量測定が同時に可能である。
【００２０】
図２は、血中放射薬剤濃度モニター統合装置の１部を示す。図１に示したウェルカウンターおよび電子天秤、装置本体の台の上に設定されている。また、台の上にはモニター用の表示パネル４８（図示しない）やキーボード５０が置かれる。また、装置全体を制御する制御装置３０も設置される。一方、連続的に動脈血中放射薬剤濃度を測定する血中放射線連続測定装置３６（図示しない）は、動脈から血液をチューブを介して連続的に採血しチューブ中の血液の放射能量を測定するので被験体の近くに設置されていて、その信号が送られてくる。
【００２１】
図３は、血中放射薬剤濃度モニター統合装置の測定系の全体を示す。信号処理電子回路３２は、光電子増倍管２４の出力信号を処理して、特定のエネルギー(15O標識薬剤を使用の場合は５１１keV)を有したガンマ線を弁別する。この信号処理電子回路３２の構成は、従来と同様である。第１計測制御装置３４は、ＣＰＵ（図示しない）を備えるコンピュータであり、計測制御プログラムを用いて、信号処理電子回路３０からの出力信号を処理し計数しかつ記録するとともに、電子天秤１０からの計測データを記録する。なお、図示しない遠心分離装置を用いて、採血血液の遠心分離が行える。
【００２２】
血中放射線連続測定装置３６は、ＧＳＯ結晶を用いた２つの検出器を用いて連続的に動脈血中放射薬剤濃度測定をおこなう。信号処理電子回路３８は、血中放射線連続測定装置３６の２つの検出器からの信号から特定のエネルギーを有したガンマ線(15O標識薬剤を使用の場合は５１１keV)を弁別し、同時計数法により信号処理する。この信号処理電子回路３８の構成は、従来と同様である。第２計測制御装置３４は、ＣＰＵを備えるコンピュータであり、計測制御プログラムを用いて、信号処理電子回路３８からの出力信号を処理し計数し、かつ１秒おきに個々の同時計数の計数値および単独の検出器からの信号の計数値を記録する。この血中放射線連続測定では、血中放射線連続測定装置３６と信号処理電子回路３８とは、被験体のすぐ近くに設置され、信号処理電子回路３８からの出力信号は、被験体とは離れた位置にある制御装置３０に送られる。
【００２３】
また、試料２０の管理のため、試料容器１８にはバーコードが付されている。試料容器１８内の試料を同定するために、試料２０の測定の際にバーコードリーダー４２でバーコードを読み取り、読取データを制御装置３０に入力する。これにより、試料２０をバーコードで管理できるので、試料の同定が容易になる。
【００２４】
また、フットスイッチ４４の出力信号が制御装置３０に入力される。検査開始時、採血時などに操作者がフットスイッチ４４を踏むことにより、制御装置３０は、検査開始時刻、採血時刻などを記録する。
【００２５】
この血中放射薬剤濃度モニター統合装置を用いた測定は、陽電子断層撮影装置（ＰＥＴ）４６による検査と並行して行う。このため、制御装置３０は、陽電子断層撮影装置４６にも接続されている。
【００２６】
制御装置３０は、例えばパーソナルコンピュータの構成を備え、ＣＰＵ，ＲＯＭ，ＲＡＭ、ＨＤＤなどの他に、モニターのための表示パネル４８、入力装置としてキーボード５０、大容量記憶装置であるハードディスク装置などを備える。制御装置３０は、接続されている各部の一括管理を行う時間管理プログラム５２を用いて、これらの記録を統合的に管理して検査の進行を円滑化し、表示パネル４８に検査の進行状況を示す。また、検査結果を容易に算出する。
【００２７】
図４のタイミングチャートに示すように、血中放射薬剤濃度モニター統合装置において、信号処理電子回路などの初期設定を行った後で、被験体の動脈からの連続的採血を開始し、血中放射線連続測定装置３６を動作させる。これにより、連続的にチューブを介して採血される血液について、血中放射線連続測定装置３６による測定が開始される。次に、被検体に15O標識薬剤を投与する。その投与開始のタイミングでフットスイッチ４４を押して、ＰＥＴ測定装置４６のスキャンを開始させるとともに、検査開始時刻を記録させる。これにより、ＰＥＴ測定装置４６の撮像が続けられる間に、同時に、チューブを介した連続的な採血についての測定も進められ、計測制御装置４０は、信号処理電子回路３８からの信号を処理し計数しかつ１秒おきに個々の同時計数の計数値および単独の検出器からの信号の計数値を記録する。
【００２８】
一方、採血血液についての測定のため、被験体から逐次採血するが、各々の採血時にフットスイッチ４４を踏んで、採血時刻を記録させる。採血試料の一部は、遠心分離法で血漿を分離し、次に、全血（ｗ）と血漿（ｐ）の両方の試料を順次電子天秤１０に載せ、重量と放射線量とを同時に測定させる。制御回路３０は、信号処理電子回路３２からの出力信号を受け取り、特定のエネルギー(15O標識薬剤を使用の場合は５１１keV)を有したガンマ線の時間変化を計数する。
【００２９】
図５を用いて、さらに、血中放射薬剤濃度モニター統合装置による計測についてさらに詳しく説明する。図においては、各種装置について処理の流れを、上から下に時間が進むようにして示している。
【００３０】
まず前述の初期設定を行うが、初期設定では以下の処理を行う。制御装置（コンピュータ）３０において、検査番号と患者番号を登録する。次に、測定対象となる試料液体を挿入しておくバーコードの張られたポット（試料容器）１８の初期重量を以下の手順にて測定する。まず、ポット１８の識別を行うため、バーコードリーダー４２にてバーコード（試料番号）を読み取り、その直後に電子天秤１０にてポット１８の重量を測定する。ここで、制御装置３０はセンサー（図示しない）でポット１８がバーコード読み取り部分に置かれたことを感知し、バーコード番号をバーコードリーダー４２を介して読み取る、次にポット１８が所定時間内に電子天秤１０の測定部位に置かれると、重量測定を開始する。これらの操作が完了したとき測定時刻、バーコード番号（図中ア−１）およびポット重量（図中イ−1）を記録する。以上の操作を試料数繰り返す。こうして、測定に用いるポット１８の初期重量が計測される。これと別に血中標識薬剤濃度連続測定装置３６の計測および記録を開始する。
【００３１】
次に検査について説明する。検査開始時にフットスイッチ４４を踏み、このときの時刻（図中エ−1）を記録する。検査中に定められた時間間隔（２０秒から１分）で血液を採取し、採取時にフットスイッチを押して採血時刻を記録し、次に、遠心分離器で血漿分離をおこなう。分離された血液の各成分を試料としてポット１８に挿入し、ポット１８の試料識別番号（バーコード）をバーコードリーダー４２で読み取り記憶する。次に、同ポット（試料）をガンマ線検出器部位（標識薬剤濃度測定装置）に設置し、重量測定を電子天秤１０にて、放射線量測定をガンマ線検出器（ウェルカウンタ）にて開始する。放射線量は計数可能範囲（およそ１秒あたり２万カウント以下）であれば、スイッチを押し、定められた時間範囲（１０秒から１分程度）で計数を開始する。これらの作業が完了したとき、放射線量計数開始時刻（図中エ−２）、バーコードによる識別番号（図中ア−２）、測定重量（図中イ−２）、計数時間および放射線量計数値（図中ウ）を記録する。以上の作業を試料数繰り返す。この間、血中標識薬剤濃度連続測定装置３６は、その測定部位に連続的に通過する血液中の放射線量を連続的に測定し、計測値および時刻を１秒単位で記録している。
【００３２】
検査が終了すると、検査終了時にフットスイッチ４４を踏み、このときの時刻を記録する。コンピュータ３０は、以下の手順にて試料中の標識薬剤濃度を計算する。まず試料識別番号（ア−１とア−２）を参照して試料測定前後（イ−１とイ−２）の重量の差から、試料の重量（オ）を計算する。また同試料の放射線量計数開始時刻（図中エ−２）と検査開始時刻（エ−１）の時間差から放射性薬剤の減衰補正計数（カ）を計算する。放射線量計数値（図中ウ）、重量（オ）および減衰補正計数（カ）から血中標識薬剤濃度を計算し、結果を記録し表示する。また、検査が終了すると、血中標識薬剤濃度連続測定装置３６の計測および記録を終了する。
【００３３】
図６は、計測制御装置４０の計測制御プログラムを示す。初期設定（Ｓ１０）の後、計測開始指示を受け取ると、信号処理電子回路３８に測定を開始させ、信号処理電子回路３８から出力データを受け取り、記録する（Ｓ１２）。そして、得られたデータを制御装置３０に送る（Ｓ１４）。
【００３４】
図７は、計測制御装置３４の計測制御プログラムを示す。初期設定（Ｓ２０）の後、計測開始指示を受け取ると、制御回路に測定開始を報告し、信号処理電子回路３２と電子天秤１０に測定を開始させ、信号処理電子回路３４と電子天秤１０から測定データを受け取り、記録する（Ｓ２２）。そして、得られたデータを制御装置３０に送る（Ｓ２４）。
【００３５】
図８と図９は、制御装置３０が実行する時間管理プログラム５２を示す。まず、キーボード５０から操作者により入力される検査番号と患者番号をそれぞれ記録する（Ｓ１００、Ｓ１０２）。次に、試料を入れるためのポット１８の操作者が電子天秤１０に載せると、ポットの初期重量が電子天秤１０で計測される。まず、操作者がバーコードリーダ４２を操作すると、ポット１８に付されたバーコードを記録し（Ｓ１０４）、次に、そのポット１８を電子天秤１０に載せて、その重量値を記録する（Ｓ１０６）。これを全ポットについて測定が完了する（Ｓ１０８でＹＥＳ）まで繰返す。また、血中放射線連続測定装置３６による計測開始が操作者により開始されると、その報告を受け取る（Ｓ１１０）。
【００３６】
検査の開始にあたり、操作者がフットスイッチ４４を押すと、フットスイッチ４４から信号を受け取って、検査開始時刻として記録する（Ｓ１１２）。
次に、操作者により血液の採血と遠心分離機による血漿分離が行われる。採血時に操作者がフットスイッチ４４を押す。これによりフットスイッチ４４から信号を受け取り、採血時刻として記録する（Ｓ１１４）。そして、試料の同定のため操作者がバーコードリーダ４２を操作すると、ポット１８に付されたバーコードが読み取られ、それを試料識別番号として記録する（Ｓ１１６）。次に、操作者によりポット１８に入れられた試料がウェルカウンタに位置されると、重量測定と放射線計数が同時に行われる。所定時間の計測が終了すると、測定重量、計数時間および放射線量計数値を入力し、記録する（Ｓ１１８）。以上の作業を、全試料の計測が終了する（Ｓ１２０）まで繰り返す。
【００３７】
検査の終了にあたり、操作者がフットスイッチ４４を押すと、フットスイッチ４４から信号を受け取って、検査終了時刻として記録する（Ｓ１２２）。また、血中放射線連続測定装置３６による計測終了が操作者により指示されると、その報告を受け取る（Ｓ１２４）。次に、測定データを基に、上述の種々のデータ処理を行う（Ｓ１２６）。
【００３８】
なお、上述の例では、制御装置３０、計測制御装置３４、４０は、それぞれ別々のコンピュータとして構成している。しかし、計測制御と時間管理は種々の形態で組み合わすことができる。
【００３９】
また、上述の例では、動脈血中の標識薬剤の濃度の連続的測定と、各採血試料についての標識薬剤の濃度の測定を並行して行っている。しかし、上述の血中放射薬剤濃度モニター統合装置は、いずれか一方の測定だけを行うこともできる。
【００４０】
なお、具体的には説明していないが、上述の検査の進行状況を表示パネル４８に表示する。表示パネルとの連携により、検査に携わるスタッフの意思統一が図りやすくなる。
【００４１】
以上に説明したような、電子天秤１０、シンチレータ２２及び光電子増倍管２４を一体化した放射線重量測定装置を用いることにより、物質中の短い半減期をもった採血試料中の放射薬剤濃度とその重量が自動的に測定できた。
【００４２】
また、上述の血中放射薬剤濃度モニター統合装置ができあがる前は、採血毎に手動（ストップウォッチ）にて時間を記録し、手計算によって補正していた。このため、試料の数が数十本以上になる検査においては混乱の極みであった。しかし、本装置の開発にもとづく自動時間管理によって、作業が大幅に軽減され、試料の数が多くなったときの混乱が解消され、検査の信頼性が向上した。たとえば、クロスキャリブレーションファクタ（ＣＣＦ）自動的に計算でき、測定中にデータを補正できるようになった。
【００４３】
また、動脈血中の標識薬剤の濃度の連続的測定と、各採血試料についての標識薬剤の濃度の測定を管理できるので、２種の測定を連携して実行できる。
【００４４】
また、放射性薬剤の自動投与装置と連動させ、動脈血中濃度のリアルタイム評価を行うことで、入力の自動制御および最適投与が可能になった。
【００４５】
また、検査の簡便化および全自動化により専属技師が不要になった。
【図面の簡単な説明】
【００４６】
【図１】放射薬剤濃度測定装置の一部の図
【図２】放射薬剤濃度測定装置の全体を示す図
【図３】放射薬剤濃度測定装置の測定系の概略を示すブロック図
【図４】測定のタイミングチャート
【図５】測定の別の面でまとめたタイミングチャート
【図６】計測制御のフローチャート
【図７】計測制御のフローチャート
【図８】時間管理の一部のフローチャート
【図９】時間管理の残りの部分のフローチャート
【符号の説明】
【００４７】
１０  電子天秤、    １２  皿、    １４  片持ちアーム１４、    １６  凹部、    １８  試料容器、    ２０  試料、    ２２  シンチレータ、    ２４  光電子増倍管、    ２４，２６  放射線遮蔽部、    ３０  制御装置、    ３２  第１信号処理電子回路、    ３４  第１計測制御装置、    ３６  血中放射線連続測定装置、    ３８  第２信号処理電子回路、    ４０  第２計測制御装置、    ４２  バーコードリーダー、    ４４  フットスイッチ、    ４６  陽電子断層撮影検査装置、    ４８  表示パネル、    ５２  時間管理プログラム。
【図１】
2005127840.tif 000003
【図２】
2005127840.tif 000004
【図３】
2005127840.tif 000005
【図４】
2005127840.tif 000006
【図５】
2005127840.tif 000007
【図６】
2005127840.tif 000008
【図７】
2005127840.tif 000009
【図８】
2005127840.tif 000010
【図９】
2005127840.tif 000011